(57)【要約】【課題】回路基板に取り付けるコネクタの位置および姿勢を、その回路基板に対し正確に規制するコネクタ取付具を提供する。【解決手段】このコネクタ取付具５０Ａは、コネクタ係合部６０と、基板係合部７０とを備えている。コネクタ係合部６０は、回路基板８０Ａの第１端縁８１に沿って延びている。そして、そのコネクタ係合部６０は、コネクタ９０に係合してコネクタ取付具５０Ａに対するコネクタ９０の位置および姿勢を規制する。また、基板係合部７０には、長溝７１が形成されている。そして、この基板係合部７０の長溝７１には、コネクタ９０に端縁８１が差し込まれた際のその端縁８１に交わる端縁８２が差し込まれる。基板係合部７０は、その長溝７１に端縁８２が差し込まれることで、回路基板８０Ａに対するコネクタ９０の位置および姿勢を規制する。【選択図】図６
2019160472.tif 000002
【特許請求の範囲】
【請求項１】
回路基板の第１端縁にコネクタを取り付ける際の該回路基板に対する該コネクタの位置および姿勢を規制するコネクタ取付具であって、
前記第１端縁に沿って延び、前記コネクタに係合して当該コネクタ取付具に対する該コネクタの位置および姿勢を規制するコネクタ係合部と、
前記回路基板の、前記第１端縁に交わる第２端縁に係合して該回路基板に対する該コネクタの位置および姿勢を規制する基板係合部とを備えたことを特徴とするコネクタ取付具。
【請求項２】
前記基板係合部が、前記第２端縁に沿って延び該第２端縁を受け入れることにより該第２端縁に係合する溝を備えたことを特徴とする請求項１に記載のコネクタ取付具。
【請求項３】
前記基板係合部が、前記コネクタ係合部の両側のそれぞれから延び、前記第１端縁に交わる向きに延びる２つの第２端縁に係合するものであることを特徴とする請求項１または２に記載のコネクタ取付具。
【請求項４】
前記コネクタ係合部は、前記第１端縁が差し込まれる複数のコネクタに係合して該複数のコネクタの相対位置を規制するものであることを特徴とする請求項１から３のうちのいずれか１項に記載のコネクタ取付具。
【発明の詳細な説明】
【技術分野】
【０００１】
本発明は、回路基板へのコネクタの取付けを補助するコネクタ取付具に関する。
【背景技術】
【０００２】
第１の回路基板および第２の回路基板の各々が幅方向両側から差し込まれる形状を有し、それら２枚の回路基板のうちの第１の回路基板に半田付けされるタイプのコネクタが知られている。そして第２の回路基板は、第１の回路基板に半田付けされた状態のコネクタに抜き差し自在に差し込まれる。
【０００３】
このタイプのコネクタの場合、回路基板に対する、その回路基板に半田付けされるコネクタの位置および姿勢が問題となる。すなわち、コネクタは、正確な位置および姿勢で回路基板に差し込まれて、その正確な位置および姿勢のまま半田付けされる必要がある。
【０００４】
近年では、回路基板上の配線やパッドの配列のピッチ、およびコネクタのコンタクトの配列のピッチが益々小さくなってきている。また、パッドやコンタクトのピン数も益々多ピン化してきている。このため、回路基板に対するコネクタの位置および姿勢の高精度化への要求が益々高まってきている。
【０００５】
ここで、特許文献１には、２つのコネクタの相対位置を正確に規制する電気コネクタ用キャップが開示されている。
【先行技術文献】
【特許文献】
【０００６】
【特許文献１】特開平９−１５３３８４号公報
【発明の概要】
【発明が解決しようとする課題】
【０００７】
上掲の特許文献１に開示された電気コネクタ用キャップは、２個のコネクタが存在する場合に、それら２つのコネクタ間の位置決めを行なうものである。しかしながら、この電気コネクタ用キャップは、回路基板に対するコネクタの位置や姿勢を規制するものではない。
【０００８】
本発明は、上記事情に鑑み、回路基板に対するコネクタの位置および姿勢を正確に規制するコネクタ取付具を提供することを目的とする。
【課題を解決するための手段】
【０００９】
上記目的を達成する本発明のコネクタ取付具は、回路基板の第１端縁にコネクタを取り付ける際の回路基板に対するコネクタの位置および姿勢を規制するコネクタ取付具であって、
上記第１端縁に沿って延び、コネクタに係合してこのコネクタ取付具に対するコネクタの位置および姿勢を規制するコネクタ係合部と、
回路基板の、第１端縁に交わる第２端縁に係合して回路基板に対するコネクタの位置および姿勢を規制する基板係合部とを備えたことを特徴とする。
【００１０】
本発明のコネクタ取付具は、そのコネクタ係合部により、このコネクタ取付具に対するコネクタの位置および姿勢が規制される。また、基板係合部は、回路基板の、コネクタに差し込まれる第１端縁とは交わる第２端縁に係合するものである。これにより、回路基板に対するコネクタの位置および姿勢が正確に規制される。
【００１１】
ここで、本発明のコネクタ取付具は、基板係合部が、第２端縁に沿って延びその第２端縁を受け入れることによりその第２端縁に係合する溝を備えることが好ましい。
【００１２】
回路基板の第２端縁を溝に受け入れることにより、第２端縁が長い領域に亘って支持される。これにより、回路基板に対するコネクタの位置および姿勢が一層正確に規制される。
【００１３】
また、本発明のコネクタ取付具は、基板係合部が、コネクタ係合部の両側のそれぞれから延び、上記第１端縁に交わる向きに延びる２つの第２端縁に係合するものであることが好ましい。
【００１４】
回路基板の２つの第２端縁に係合することで、回路基板に対するコネクタの位置および姿勢が一層正確に規制される。
【００１５】
さらに、本発明のコネクタ取付具は、そのコネクタ係合部が、回路基板の第１端縁が差し込まれる複数のコネクタに係合して複数のコネクタの相対位置を規制するものであってもよい。
【００１６】
本発明のコネクタ取付具は、回路基板が複数のコネクタに差し込まれる構成の場合にも対応している。すなわち、本発明のコネクタ取付具は、回路基板が複数のコネクタに差し込まれる構成の場合には、コネクタ係合部により複数のコネクタの相対位置が規制される。そして、基板係合部により、それら複数のコネクタの、回路基板に対する位置および姿勢が正確に規制される。
【発明の効果】
【００１７】
以上の本発明のコネクタ取付具によれば、回路基板に取り付けられるコネクタの、回路基板に対する位置および姿勢が正確に規制される。
【図面の簡単な説明】
【００１８】
【図１】コネクタと、そのコネクタが半田付けされた回路基板と、そのコネクタに差し込まれるもう１枚の回路基板とを示した図である。
【図２】本発明の第１実施形態としてのコネクタ取付具を示した図である。
【図３】図２に示したコネクタ取付具と、そのコネクタ取付具に係合するコネクタを示した図である。
【図４】コネクタが係合した状態のコネクタ取付具を示した３面図である。
【図５】コネクタが係合した状態のコネクタ取付具の断面図である。
【図６】コネクタ取付具に係合した状態のコネクタが回路基板に差し込まれる様子を示した斜視図である。
【図７】コネクタが回路基板に差し込まれた状態を示した平面図（Ａ）と、その図７（Ａ）に示した矢印Ｅ−Ｅに沿う断面図（Ｂ）である。
【図８】本発明の第２実施形態のコネクタ取付具と、そのコネクタ取付具に係合したコネクタと、そのコネクタが差し込まれる回路基板とを示した斜視図である。
【図９】本発明の第３実施形態のコネクタ取付具と、そのコネクタ取付具に係合したコネクタと、そのコネクタが差し込まれる回路基板とを示した斜視図である。
【発明を実施するための形態】
【００１９】
ここでは、本発明の実施形態の説明に先立って、その背景について説明する。
【００２０】
図１は、コネクタと、そのコネクタが半田付けされた回路基板と、そのコネクタに差し込まれるもう１枚の回路基板とを示した図である。ここで、図１（Ａ）は、斜視図、図１（Ｂ）は、図１（Ａ）に示した矢印Ａ−Ａに沿う断面図である。ただし、回路基板３０に関しては、図１（Ａ）では、コネクタ１０に差し込まれる前の状態が示されており、図１（Ｂ）では、差し込まれた状態が示されている。
【００２１】
ここに示したコネクタ１０は、両側から回路基板２０，３０が差し込まれるタイプのコネクタである。そして、そのコネクタ１０は、一方の回路基板２０に差し込まれ、コネクタ１０のコンタクト１１が回路基板２０上のパッド（不図示）に半田付けされている。ここでは、半田付けについては、図示を省略している。もう１枚の回路基板３０は、回路基板２０に半田付けされたコネクタ１０に、実使用時に、抜き差し自在に差し込まれる。そして、回路基板３０がコネクタ１０と嵌合すると、回路基板３０上のパッド（図示せず）がコンタクト１１と電気的に接続される。
【００２２】
ここで、回路基板２０にコネクタ１０を半田付けするにあたっては、回路基板２０に対するコネクタ１０の、矢印Ｘ−Ｘ方向の位置ずれが生じないように正確に位置決めする必要がある。また、矢印Ｘ−Ｘ方向の位置決めだけでなく、矢印Ｒ１−Ｒ１で示されるヨー軸の回りの傾きや矢印Ｒ２−Ｒ２で示されるピッチ軸の回りの傾きが生じないように、コネクタ１０の姿勢を正確に正す必要もある。
【００２３】
以下、回路基板にコネクタを差し込んで半田付けする際に使用される、本発明のコネクタ取付具の実施形態について説明する。
【００２４】
図２は、本発明の第１実施形態としてのコネクタ取付具を示した図である。ここで、図２（Ａ）は斜視図、図２（Ｂ）は平面図、図２（Ｃ）は、図２（Ａ）に円Ｒで示した部分の拡大図である。
【００２５】
また、図３は、図２に示したコネクタ取付具と、そのコネクタ取付具に係合するコネクタを示した図である。ここで、図３（Ａ）は、コネクタ取付具と、そのコネクタ取付具に係合する前のコネクタを示した斜視図である。また、図３（Ｂ）は、コネクタ取付具と、そのコネクタ取付具に係合した状態のコネクタを示した斜視図である。
【００２６】
このコネクタ取付具５０Ａは、コネクタ係合部６０と基板係合部７０とを備えている。
【００２７】
コネクタ係合部６０は、図３に示すコネクタ９０（９０Ａ，９０Ｂ）と係合して、そのコネクタ９０の位置および姿勢を正確に規制する役割を担っている。この第１実施形態のコネクタ取付具５０Ａの場合、コネクタ係合部６０は、２つのコネクタ９０Ａ，９０Ｂの双方が配置されてそれらの双方と係合する構造となっている。このコネクタ係合部６０には、コネクタ９０Ａ，９０Ｂの突き当てを受ける前壁６１が形成されている、また、このコネクタ係合部６０に設けられている、各コネクタ９０Ａ，９０Ｂが配置される２つのコネクタ配置部６０Ａ，６０Ｂそれぞれの略中央部には、前壁６１から突き出た２本ずつの位置決めピン６２が形成されている。さらに、このコネクタ係合部６０には、前壁６１から位置決めピン６２よりも低く突き出た位置決めリブ６３が形成されている。これらの位置決めピン６２および位置決めリブ６３は、図２（Ａ），（Ｃ）に矢印Ｚ−Ｚで示す厚み方向の中央部に形成されている。これらの位置決めピン６２および位置決めリブ６３は、コネクタ９０Ａ，９０Ｂ内に差し込まれて、コネクタ係合部６０に対する、コネクタ９０Ａ，９０Ｂの位置や姿勢を正確に正しい位置および姿勢に規制する役割を担っている。このコネクタ係合部６０によるコネクタ９０の位置および姿勢の規制構造の詳細は、後述する。
【００２８】
また、基板係合部７０は、図３に矢印Ｘ−Ｘで示す、コネクタ係合部６０の延びる方向とは交わる、矢印Ｙ−Ｙで示す方向に延びている。また、ここに示した実施形態の場合、この基板係合部７０は、コネクタ係合部６０の両端のそれぞれから延びている。この基板係合部７０には、外向きに開口し、その基板係合部７０の延びる方向に延びた長溝７１が形成されている。この長溝７１には、回路基板８０Ａ（図６参照）の端縁８２が差し込まれる。これにより、回路基板８０Ａに対するコネクタ９０の位置および姿勢が規制される。基板係合部７０による、回路基板８０Ａに対するコネクタ９０の規制については、後でさらに説明を加える。
【００２９】
図４は、コネクタが係合した状態のコネクタ取付具を示した３面図である。ここで、図４（Ａ）は平面図、図４（Ｂ）は正面図、図４（Ｃ）は側面図である。
【００３０】
また、図５は、コネクタが係合した状態のコネクタ取付具の断面図である。ここで、図５（Ａ）は、図４（Ａ）に示した矢印Ｂ−Ｂに沿う断面図である。また、図５（Ｂ）は、図４（Ａ）に示した矢印Ｃ−Ｃに沿う断面図である。さらに、図５（Ｃ）は、図４（Ｂ）に示した矢印Ｄ−Ｄに沿う断面図である。
【００３１】
図５（Ｃ）に示すように、コネクタ９０には、多数のコンタクト９１が、ハウジング９２の長手方向（図５（Ｃ）に示す矢印Ｘ−Ｘ方向）に配列されている。そして、そのハウジング９２には、コネクタ取付具５０Ａのコネクタ係合部６０の位置決めピン６２（図２（Ｃ）を合わせて参照）に対応する位置に、位置決め穴９３が形成されている。この位置決め穴９３は、図５（Ａ）に示すように、厚み方向（矢印Ｚ−Ｚ方向）についても、その中央部に形成されている。コネクタ９０をコネクタ係合部６０に係合させると、この位置決め穴９３に位置決めピン６２が挿し込まれる。また、コネクタ９０には、図５（Ｂ）に示すように、位置決めスリット９４が形成されている。この位置決めスリット９４には、コネクタ係合部６０の前壁６１から突き出た位置決めリブ６３（図２（Ｃ）を合わせて参照）が差し込まれる。このようにして、コネクタ９０の位置決め穴９３および位置決めスリット９４に、コネクタ係合部６０の前壁６１から突き出た位置決めピン６２および位置決めリブ６３がを差し込まれる。これにより、コネクタ９０の、図５（Ａ），（Ｂ）に示す矢印Ｚ−Ｚ方向および図５（Ｃ）に示す矢印Ｘ−Ｘ方向の位置が、正しい位置に規制される。そして、さらに、そのコネクタ９０をコネクタ係合部６０の前壁６１に突き当てる。この突き当てにより、コネクタ９０は、図５（Ａ），（Ｂ）に示す矢印Ｒ２−Ｒ２の向きの傾きのない、さらに図５（Ｃ）に示す矢印Ｒ１−Ｒ１の向きの傾きのない、正しい姿勢に規制される。
【００３２】
図６は、コネクタ取付具に係合した状態のコネクタが回路基板に差し込まれる様子を示した斜視図である。ここで、図６（Ａ）は差し込む前の状態、図６（Ｂ）は差し込んだ状態、図６（Ｃ）はコネクタ取付具を取り外した状態を示している。
【００３３】
また、図７は、コネクタが回路基板に差し込まれた状態を示した平面図（Ａ）と、その図７（Ａ）に示した矢印Ｅ−Ｅに沿う断面図（Ｂ）である。
【００３４】
ここで、この図７に示した回路基板８０Ａは、コネクタ９０の差込みの説明に必要な一部領域のみを示したものである。すなわち、この回路基板８０は、ここに示した一部領域よりもさらに広く広がっていてもよい。
【００３５】
ここに示す第１実施形態のコネクタ取付具５０Ａの場合、コネクタ９０は、この図６に示すような、端縁８１，８２により区画された凹部を有する回路基板８０Ａと組み合わされる。そして、コネクタ９０は、回路基板８０Ａの、凹部の底に相当する端縁８１に差し込まれる。また、この凹部には、その底に相当する端縁８１とは交わる向きに延びる２つの端縁８２が形成されている。そして、図７（Ｂ）に示すように、コネクタ取付具５０Ａの基板係合部７０に形成されている長溝７１には、端縁８２が差し込まれる。この第１実施形態の場合、端縁８１および端縁８２は、本発明にいう、それぞれ第１端縁および第２端縁の各一例に相当する。
【００３６】
コネクタ９０が回路基板８０Ａの端縁８１に差し込まれ、かつ２つの端縁８２が基板係合部７０の長溝７１に差し込まれる。これにより、コネクタ取付具５０Ａに正しい位置および姿勢で係合したコネクタ９０は、回路基板８０Ａに対し、矢印Ｘ−Ｘ，Ｚ−Ｚ方向の位置ずれや、矢印Ｒ１−Ｒ１，Ｒ２−Ｒ２方向の傾きのない、正しい位置および正しい姿勢に規制される。
【００３７】
図６（Ｂ）に示した状態でコネクタ９０が回路基板８０Ａに半田付けされて、回路基板８０Ａに対するコネクタ９０の位置や姿勢が固定された状態となる。その後、図６（Ｃ）に示すように、コネクタ取付具５０Ａが抜き取られる。
【００３８】
このように、この第１実施形態の場合、このコネクタ取付具５０Ａを使用することによって、コネクタ９０を、回路基板８０Ａに対し高精度に正しい位置および高精度に正しい姿勢に結合することができる。
【００３９】
図８は、本発明の第２実施形態のコネクタ取付具と、そのコネクタ取付具に係合したコネクタと、そのコネクタが差し込まれる回路基板とを示した斜視図である。ここで、図８（Ａ）は、コネクタ９０を回路基板８０Ｂに差し込む前の状態、図８（Ｂ）は、回路基板８０Ｂにコネクタ９０が差し込まれた状態を示している。図７と同様、この図８においても、回路基板８０Ｂは、コネクタ９０の差込みの説明に必要な一部領域のみが示されている。すなわち、この回路基板８０Ｂの２つの端縁８２どうしの間隔は、コネクタ取付具５０Ｂの基板係合部７０の長溝７１に差し込まれる部分のみ、この間隔であればよい。回路基板８０Ｂの、この図８に示した部分以外の部分は、広く広がっていてもよい。
【００４０】
ここで、このコネクタ取付具５０Ｂのコネクタ係合部６０の、コネクタ９０と嵌合する側の前壁６１（図２（Ｃ）参照）の向きを基準とする。そのとき、このコネクタ取付具５０Ｂの基板係合部７０は、前述の第１実施形態のコネクタ取付具５０Ａの基板係合部７０とは逆向きに延びている。そして、このコネクタ取付具５０Ｂの基板係合部７０には、内向きの長溝７１が形成されている。この内向きの長溝７１には、回路基板８０Ｂの端縁８２が差し込まれる。そして、さらに、コネクタ９０が、回路基板８０Ｂの前端の端縁８１に差し込まれる。
【００４１】
このように、基板係合部７０の延びる向きは、回路基板８０Ａ，８０Ｂの形状に合わせた、いずれの向きであってもよい。
【００４２】
図９は、本発明の第３実施形態のコネクタ取付具と、そのコネクタ取付具に係合したコネクタと、そのコネクタが差し込まれる回路基板とを示した斜視図である。
【００４３】
この第３実施形態の場合、回路基板８０Ｃには、図６に示した第１実施形態における回路基板８０Ａと同様、凹部が形成されている。ただし、この第３実施形態のコネクタ取付具５０Ｃは、１つのみのコネクタ９０と係合する構造を有する。このため、回路基板８０Ｃの凹部の幅も、それに応じた狭幅となっている。
【００４４】
このように、本発明のコネクタ取付具は、複数ではなく１つのコネクタを回路基板と結合する場合にも適用することができる。
【００４５】
また、第１実施形態〜第３実施形態のコネクタ取付具５０Ａ〜５０Ｃのいずれにおいても、基板係合部７０は、コネクタ係合部６０の両端の各々から延びている。この構造は、コネクタを回路基板に対し高精度な位置および姿勢に規制するために、より好ましい構造である。ただし、基板係合部７０は、コネクタ係合部６０の一方の端部からのみ、延びていてもよい。一方の端部のみから延びた基板係合部７０であっても、コネクタの高精度な位置および姿勢の規制が可能である。例えば、回路基板の配置スペース等の制限から、図９に示す回路基板８０Ｃの、×印を付した部分が存在せずに、回路基板８０ＣがＬ字形状に切り欠かれて端縁８１が一点鎖線で示したように延びている場合を考える。この場合は、１本のみの基板係合部７０を備えたコネクタ取付具をＬ字形状の角に当てるように使ってもよい。あるいは、この図９に示したような、コネクタ係合部６０の両端から延びる基板係合部７０のうちの１本のみを有効活用してもよい。
【００４６】
また、本実施形態におけるコネクタ９０は、回路基板３０（図１参照）と嵌合するタイプのコネクタである。ただし、本発明にいうコネクタは、相手コネクタと嵌合するタイプのコネクタであってもよい。
【符号の説明】
【００４７】
１０  コネクタ
１１  コンタクト
２０，３０  回路基板
５０Ａ，５０Ｂ，５０Ｃ  コネクタ取付具
６０  コネクタ係合部
６０Ａ，６０Ｂ  コネクタ配置部
６１  前壁
６２  位置決めピン
６３  位置決めリブ
７０  基板係合部
７１  長溝
８０Ａ，８０Ｂ，８０Ｃ  回路基板
８１，８２  端縁
９０，９０Ａ，９０Ｂ  コネクタ
９１  コンタクト
９２  ハウジング
９３  位置決め穴
９４  位置決めスリット
【図１】
2019160472.tif 000003
【図２】
2019160472.tif 000004
【図３】
2019160472.tif 000005
【図４】
2019160472.tif 000006
【図５】
2019160472.tif 000007
【図６】
2019160472.tif 000008
【図７】
2019160472.tif 000009
【図８】
2019160472.tif 000010
【図９】
2019160472.tif 000011